(57)【特許請求の範囲】
【請求項１】
右手用キーボードと
前記右手用キーボードとは演奏手方向が逆向きの左手用キーボードとを備え、
前記右手用キーボードと前記左手用キーボードとの、演奏手方向に対する高音方向の向きが逆向きであり、
前記右手用キーボードと前記左手用キーボードとは、そのキー（黒鍵及び４種類の形状の白鍵のそれぞれ）が同形同大であり、
前記左手用キーボードの押し下げ深さが、前記右手用キーボードの押し下げ深さよりも浅いことを特徴とする、ショルダーキーボード。
【請求項２】
前記右手用キーボードは、演奏手方向に対する右側が高音方向であり、
前記左手用キーボードは、演奏手方向に対する左側が高音方向であることを特徴とする、請求項１に記載のショルダーキーボード。
【請求項３】
前記左手用キーボードの押し下げ深さが略７ｍｍ であり、前記右手用キーボードの押し下げ深さが略１０ｍｍ であることを特徴とする、請求項１又は２に記載のショルダーキーボード
【発明の詳細な説明】
【技術分野】
【０００１】
本発明は、ショルダーキーボードに関する。
【背景技術】
【０００２】
電子鍵盤楽器の鍵盤部として、ショルダーストラップを用いて肩から吊下げ、ギターのように体の前で鍵盤を操作するショルダーキーボード（例えば特許文献１参照）が知られている。
【０００３】
従来のショルダーキーボードは、特許文献１に示されたように、１つのキーボードのみを有するものであった。このため、両手を使用して演奏すると、肩から吊下げられたキーボードと演奏家の体との間に両手を配置することとなり、演奏家を見た際の見栄え（演奏家のポーズ等）が必ずしも良いものではなかった。そこで、片手（例えば右手）のみで演奏することも多かった。
【０００４】
一方、両手を使用して演奏することができれば、音楽表現の幅が広がる。また、右手と左手とで異なる音色の音を出すこともできる。
【先行技術文献】
【特許文献】
【０００５】
【特許文献１】実開平０６−０５５１９５号公報
【発明の概要】
【発明が解決しようとする課題】
【０００６】
本発明は、両手を使用して演奏することが容易なショルダーキーボードを提供することを課題とする。
【課題を解決するための手段】
【０００７】
本発明のショルダーキーボードは、
右手用キーボードと
前記右手用キーボードとは演奏手方向が逆向きの左手用キーボードとを備え、
前記右手用キーボードと前記左手用キーボードとの、演奏手方向に対する高音方向の向きが逆向きであることを特徴とする。
【０００８】
この特徴によれば、右手と左手が別々のキーボードを操作することができ、両手を使用して演奏することができる。また、右手と左手とは逆の演奏手方向となるが、高音方向は同一となる。演奏しやすいものである。
【０００９】
本発明のショルダーキーボードは、
前記右手用キーボードは、演奏手方向に対する右側が高音方向であり、
前記左手用キーボードは、演奏手方向に対する左側が高音方向であることを特徴とする。
【００１０】
この特徴によれば、右手をショルダーキーボードの上方から伸ばし、左手をショルダーキーボードの下方から伸ばす、通常の使用法において、演奏者の右側が高音となり、わかりやすい。
【００１１】
本発明のショルダーキーボードは、
前記左手用キーボードの押し下げ深さが、前記右手用キーボードの押し下げ深さよりも浅いことを特徴とする。
【００１２】
この特徴によれば、キーボードの上で手（又は道具）を移動させるいわゆるスライド奏法を行う際に、容易に行うことができる。また、スライド奏法以外でも、左手の負担を軽くすることができる。
【００１３】
本発明のショルダーキーボードは、
前記左手用キーボードの押し下げ深さが略７ｍｍであり、前記右手用キーボードの押し下げ深さが略１０ｍｍであることを特徴とする。
【００１４】
この特徴によれば、多くの演奏者の好む押し下げ深さとなる。
【発明の効果】
【００１５】
本発明によれば、両手を使用して演奏することが容易なショルダーキーボードを提供することができる。
【図面の簡単な説明】
【００１６】
【図１】図１は、ショルダーキーボードを示す図である。
【図２】図２は、キーボードの押し下げ深さを説明する図である。
【発明を実施するための形態】
【００１７】
図１は、ショルダーキーボードを示す図である。ショルダーキーボード１は、右手用キーボード１Ｒ、左手用キーボード１Ｌ及び制御装置２を備えている。右手用キーボード１Ｒ及び左手用キーボード１Ｌの演奏（押下されたキーの情報）が、制御装置２から音響発生装置（非図示）に送信され、音響発生装置によって音響が出力される。制御装置２において、右手用キーボード１Ｒ及び左手用キーボード１Ｌの音程や音色を設定してもよい。
【００１８】
図は、ショルダーキーボードを使用する状態を、演奏者の正面から見たものである。すなわち、ショルダーストラップ（非図示）を利用して、ショルダーキーボード１を肩に掛け、右手３Ｒを上方から、左手３Ｌを下方から伸ばす。ショルダーキーボード１の使用法がこの配置に限定されるものではないが、この配置が典型的である。
【００１９】
右手用キーボード１Ｒは、図に白矢印で示す図面左側（演奏者から見て右側）が高音である。演奏手方向に対する右側が高音方向であり、広く一般に用いられるキーボードと同様のキー配列である。
【００２０】
これに対し、左手用キーボード１Ｌは、図に黒矢印で示す図面左側（演奏者から見て右側）が高音である。演奏手方向に対する左側が高音方向であり、広く一般に用いられるキーボードとは、高音と低音が逆転したキー配列である。
【００２１】
右手用キーボード１Ｒ及び左手用キーボード１Ｌの全体を見ると、図面左側（演奏者から見て右側）が高音であることで統一されている。ピアノ等の鍵盤と同様であり、演奏者にとってわかりやすい。
【００２２】
図２は、キーボードの押し下げ深さを説明する図である。図は、連続する３つの白鍵を演奏手方向から見たものである。３つのキー４のうち中央のキーを、図に白矢印で示すように押下するものとする。
【００２３】
キー４は、キーボードの構造に基づき、一定の深さ以上に押下することができない。最大に押下された状態（図２に示す）における深さＤを「押し下げ深さ」と呼ぶ。
【００２４】
右手用キーボード１Ｒの押し下げ深さは１０ｍｍ、左手用キーボード１Ｌの押し下げ深さは７ｍｍである。キーボードの上で手（又は道具）を移動させるいわゆるスライド奏法を行う際には、押し下げ深さまで押し下げた状態のままで手（又は道具）を移動させる。下方から伸ばす左手３Ｌは手首が曲がっており、上方から伸ばす右手３Ｒよりもキーボードの押し下げ深さが浅いと演奏しやすい。
【００２５】
スライド奏法以外の場合にも、左右の手の位置が相違するので、左手用キーボード１Ｌの押し下げ深さが浅いことで演奏を容易にする効果が考えられる。なお、押し下げ深さは、厳密に１０ｍｍ及び７ｍｍでなくても、その程度であればよい。また、白鍵について説明したが、黒鍵についても白鍵と同一の押し下げ深さとすることが好ましい。
【産業上の利用可能性】
【００２６】
両手を使用して演奏することが容易なショルダーキーボードであり、多くの演奏家による利用が考えられる。
【符号の説明】
【００２７】
１Ｒ  右手用キーボード
１Ｌ  左手用キーボード
２    制御装置
３Ｒ  右手
３Ｌ  左手
４    キー
【図１】
0006640475.tif 000002
【図２】
0006640475.tif 000003